(57)【特許請求の範囲】
【請求項１】
エンジンと、
それぞれが、履帯及び前記履帯を駆動するための駆動輪を有する左右の走行装置と、
前記エンジンの動力を前記左右の走行装置の駆動輪に伝達する動力伝達装置と、
前記動力伝達装置と前記左右の駆動輪のそれぞれとの間に配置され、動力を伝達又は遮断する左右のステアリングクラッチと、
前記左右のステアリングクラッチと前記左右の駆動輪との間に配置され、前記左右の駆動輪への回転を制動する左右のステアリングブレーキと、
前記各ステアリングクラッチの入出力の回転数差を検出する回転数差検出手段と、
前記各ステアリングクラッチに供給されるクラッチ油圧を取得するクラッチ油圧取得手段と、
前記回転数差及び前記クラッチ油圧を参照して前記ステアリングクラッチの発熱率を演算し、演算された発熱率を予め設定されている第１しきい値と比較して前記ステアリングクラッチの保護処理を実行するクラッチ保護手段と、
を備えた履帯式作業車両。
【請求項２】
前記クラッチ保護手段は、前記発熱率が前記第１しきい値以上になった場合は、前記エンジンの出力を低下させる、請求項１に記載の履帯式作業車両。
【請求項３】
前記エンジンの回転数が予め許容されている最低回転数か否かを判断するエンジン回転数判定手段をさらに備え、
前記クラッチ保護手段は、前記発熱率が前記第１しきい値以上になった場合に、前記エンジンの回転数が前記最低回転数より低い場合は、前記エンジンの出力を低下させることなく警告処理を実行する、
請求項２に記載の履帯式作業車両。
【請求項４】
前記クラッチ保護手段は、前記発熱率が前記第１しきい値より小さい第２しきい値以下になった場合は前記エンジンの出力を所定量増加させる、請求項２又は３に記載の履帯式作業車両。
【請求項５】
前記クラッチ保護手段は、前記発熱率が前記第１しきい値以上になった場合は、発熱率が第１しきい値以上になったステアリングクラッチの係合を解除する、請求項１に記載の履帯式作業車両。
【請求項６】
前記クラッチ保護手段は、前記発熱率が前記第１しきい値以上になり、前記ステアリングクラッチの係合を解除した後に、警告処理を実行する、請求項５に記載の履帯式作業車両。
【請求項７】
前記動力伝達装置は、流体を介して動力を伝達するトルクコンバータを有している、請求項１から６のいずれかに記載の履帯式作業車両。
【発明の詳細な説明】
【技術分野】
【０００１】
本発明は、作業車両、特に、履帯により走行するとともに、ステアリングクラッチ及びステアリングブレーキによって操舵される履帯式作業車両に関する。
【背景技術】
【０００２】
履帯式作業車両の一例であるブルドーザにおいては、エンジンの動力がトランスミッションを介して左右の駆動輪に伝達され、この駆動輪によって左右の履帯が駆動される。このようなブルドーザでは、左右の駆動輪に対応して、ステアリングクラッチ及びステアリングブレーキが設けられている。そして、左右のステアリングクラッチ及びステアリングブレーキを油圧によって制御することにより、左右の旋回が実行される（例えば、特許文献１参照）。
【０００３】
例えば、左旋回の場合は、左側のステアリングブレーキが係合（ブレーキオン＝制動状態）されるとともに、左側のステアリングクラッチが係合解除（クラッチオフ＝動力遮断状態）され、右側のステアリングクラッチが係合されるとともに、右側のステアリングブレーキが係合解除される。
【０００４】
以上のようにクラッチ及びブレーキが制御されて、エンジンからの動力は右のステアリングクラッチを介して右側の履帯に伝達され、車両は左に旋回する。
【先行技術文献】
【特許文献】
【０００５】
【特許文献１】特公平８−１８５７３号公報
【発明の概要】
【発明が解決しようとする課題】
【０００６】
以上のようなステアリングクラッチ及びステアリングブレーキを有するブルドーザにおいては、以下のような状況においてステアリングクラッチに滑りが生じる。
【０００７】
＜状況１＞
例えば、左旋回の場合は、前述のように、右側の伝達系においては、ステアリングクラッチはオン、ステアリングブレーキはオフとなっている。このような状態で、すなわち左旋回中に、オペレータがフットブレーキを操作すると、左右のステアリングブレーキがオンになる。すると、右側の伝達系においては、ステアリングクラッチで動力を伝達しながら、一方で、ステアリングブレーキでその回転を制動することになり、矛盾した動作が実行されることになる。
【０００８】
以上のような状況においては、エンジン出力はトルクコンバータに吸収され、ステアリングクラッチに過負荷が作用するのを抑えられる。したがって、ステアリングクラッチが滑るのが防止される。しかし、特に前進１速のようにトルクが大きい場合は、トルクコンバータでは吸収できず、右のステアリングクラッチが滑ることになる。
【０００９】
＜状況２＞
ブルドーザでは、以下のような転石起こし作業を行う場合がある。
【００１０】
転石起こし作業の初期においては、ブレードの左端によって、履帯より下方の転石が引っ掛けられる。ブレード位置をそのままにして、車両を前方へけん引する。すると、左履帯の後方に負荷がかかり、車体前方が浮き上がる。車体前方が浮き上がると、履帯の接地面積が前後で異なり、平均接地面圧が下がるために、左履帯がスリップする。
【００１１】
以上のように、履帯がスリップするような状態では、ステアリングクラッチが滑ることはない。
【００１２】
しかし、以上のような状況下では、オペレータは履帯がスリップしないように、ブレードを上げることになる。これにより、左履帯は全面が接地することになり、結果的に左側のステアリングクラッチに過負荷が作用する。前述のように、トルクコンバータでこの過負荷を吸収できる場合はステアリングクラッチが滑ることはないが、トルクコンバータで吸収できない場合は、ステアリングクラッチに滑りが生じる。
【００１３】
以上のように、走行状態によっては、あるいは作業の形態によっては、ステアリングクラッチが滑る場合がある。このようなステアリングクラッチの滑りが長時間続くと、クラッチが焼けて損傷されることになる
そこで従来の車両においては、ステアリングクラッチに滑りが生じるような種々のケース（前述の状況１及び２等）を想定し、そのような走行状態や作業形態の条件が満たされた場合に、エンジンの出力を下げる等によってステアリングクラッチを保護するようにしている。
【００１４】
しかし、ステアリングクラッチが滑るすべての状況を想定して条件を設定することは困難であり、ステアリングクラッチを十分に保護することはできない。また、ステアリングクラッチに滑りが生じたときにエンジン出力を急に低下させると、オペレータに違和感を生じさせ、スムーズな作業等を行うことができない。
【００１５】
本発明の課題は、ステアリングクラッチに滑りが生じたことを正確に判定して、ステアリングクラッチを保護することにある。
【００１６】
本発明の別の課題は、オペレータの違和感を抑えてステアリングクラッチの保護処理を実行することにある。
【課題を解決するための手段】
【００１７】
本発明の第１側面に係る履帯式作業車両は、エンジンと、左右の走行装置と、動力伝達装置と、左右のステアリングクラッチと、左右のステアリングブレーキと、回転数差検出手段と、クラッチ油圧取得手段と、クラッチ保護手段と、を備えている。左右の走行装置は、それぞれが、履帯及び履帯を駆動するための駆動輪を有する。動力伝達装置はエンジンの動力を左右の走行装置の駆動輪に伝達する。左右のステアリングクラッチは、動力伝達装置と左右の駆動輪のそれぞれとの間に配置され、動力を伝達又は遮断する。左右のステアリングブレーキは、左右のステアリングクラッチと左右の駆動輪との間に配置され、左右の駆動輪への回転を制動する。回転数差検出手段は各ステアリングクラッチの入出力の回転数差を検出する。クラッチ油圧取得手段は各ステアリングクラッチに供給されるクラッチ油圧を取得する。クラッチ保護手段は、回転数差及びクラッチ油圧を参照してステアリングクラッチの発熱率を演算し、演算された発熱率を予め設定されている第１しきい値と比較してステアリングクラッチの保護処理を実行する。
【００１８】
ここでは、エンジンからの動力は、動力伝達装置及び左右のステアリングクラッチを介して左右の走行装置に伝達される。旋回時には、一方側のステアリングクラッチが係合されるとともにステアリングブレーキが係合解除され、他方側のステアリングクラッチが係合解除されるとともにステアリングブレーキが係合される。これにより、車両は一方側に旋回する。
【００１９】
以上のような状況において、例えば旋回中にフットブレーキが操作されると、ステアリングクラッチが係合されている側のステアリングブレーキも係合される。すると、ステアリングクラッチに滑りが生じる場合がある。
【００２０】
そこで、ここでは、ステアリングクラッチの入出力回転数の差及びクラッチ油圧を参照してステアリングクラッチの発熱率が演算され、演算結果と予め設定されている第１しきい値とが比較される。この比較結果に応じてステアリングクラッチの保護処理が実行される。
【００２１】
ここでは、滑りが生じているステアリングクラッチの発熱率を演算し、この演算結果に基づいて保護処理が実行されるので、滑りが生じているステアリングクラッチを高い精度で確実に保護できる。
【００２２】
本発明の第２側面に係る履帯式作業車両は、第１側面の作業車両において、クラッチ保護手段は、発熱率が第１しきい値以上になった場合は、エンジンの出力を低下させる。
【００２３】
ここでは、ステアリングクラッチの発熱率が第１しきい値以上になった場合はエンジン出力を低下させているので、ステアリングクラッチを確実に保護できる。また、ステアリングクラッチ自体の発熱率を考慮してエンジンの出力を制御するので、不必要にエンジン出力を低下させたり、また必要なときにエンジン出力が低下されなかったり、といった不具合を防止できる。すなわち、精度の高い保護制御を行うことができる。
【００２４】
本発明の第３側面に係る履帯式作業車両は、第２側面の作業車両において、エンジンの回転数が予め許容されている最低回転数か否かを判断するエンジン回転数判定手段をさらに備えている。また、クラッチ保護手段は、発熱率が第１しきい値以上になった場合に、エンジンの回転数が最低回転数より低い場合は、エンジンの出力を低下させることなく警告処理を実行する。
【００２５】
ステアリングクラッチの発熱率が第１しきい値以上になった場合にエンジン回転数を下げる等して出力を低下させることは、ステアリングクラッチの保護にとって有効な処理である。しかし、エンジン回転数を低下させすぎると、満足な車両性能が得られないことになる。そこで、エンジン回転数が車両性能から許容される最低回転数を下回るような場合は、エンジンの出力を低下させることなく、オペレータに対して警告を発する処理が実行される。
【００２６】
本発明の第４側面に係る履帯式作業車両は、第２又は第３側面の作業車両において、クラッチ保護手段は、発熱率が第１しきい値より小さい第２しきい値以下になった場合はエンジンの出力を所定量増加させる。
【００２７】
ステアリングクラッチの発熱率が低下した場合は、エンジン出力を低下させる必要はなく、旋回性能、作業効率等を考慮した場合、エンジン出力を増加させることが好ましい。
【００２８】
そこで、この第４側面の車両では、発熱率が第２しきい値より低下した場合はエンジンの出力を所定量増加させるようにしている。このため、エンジン出力の低下は、ステアリングクラッチの保護に必要最小限となり、保護処理が実行された際のオペレータに対する違和感を抑えることができる。なお、第２しきい値は第１しきい値より小さい値であり、しきい値にヒステリシスを持たせて、制御がチャタリングするのを防止している。
【００２９】
本発明の第５側面に係る履帯式作業車両は、第１側面の作業車両において、クラッチ保護手段は、発熱率が第１しきい値以上になった場合は、発熱率が第１しきい値以上になったステアリングクラッチの係合を解除する。
【００３０】
ここでは、発熱率の高くなったステアリングクラッチについては、クラッチの係合が解除されるので、クラッチの負荷が下がり、確実に保護できる。
【００３１】
本発明の第６側面に係る履帯式作業車両は、第５側面の作業車両において、クラッチ保護手段は、発熱率が第１しきい値以上になり、ステアリングクラッチの係合を解除した後に、警告処理を実行する。
【００３２】
ここでは、警告処理を実行することによって、オペレータに対応を促すことができる。
【００３３】
本発明の第７側面に係る履帯式作業車両は、第１から第６側面の作業車両において、動力伝達装置は、流体を介して動力を伝達するトルクコンバータを有している。
【００３４】
ここでは、ステアリングクラッチに過負荷が作用したときに、トルクコンバータにおいて所定の負荷を吸収できるので、ステアリングクラッチの保護が容易になる。
【発明の効果】
【００３５】
以上のような本発明では、ステアリングクラッチに滑りが生じたことを正確に判定して、高い精度でステアリングクラッチを保護することができる。また、ステアリングクラッチの発熱率を所定のしきい値に近づけることによって、オペレータへの違和感を抑えてステアリングクラッチを保護することができる。
【図面の簡単な説明】
【００３６】
【図１】本発明の一実施形態によるブルドーザの外観斜視図。
【図２】図１に示したブルドーザの概略構成を示す図。
【図３】ステアリングクラッチの保護処理のフローチャート。
【図４】別の実施形態によるステアリングクラッチの保護処理のフローチャート。
【図５】さらに別の実施形態によるステアリングクラッチの保護処理のフローチャート。
【発明を実施するための形態】
【００３７】
図１に、履帯式作業車両の一例であるブルドーザ１を示している。ブルドーザ１は、図１及び図２に示すように、それぞれスプロケット２Ｌ，２Ｒ及び履帯３Ｌ，３Ｒを有する左右の走行装置４Ｌ，４Ｒと、車両前部に設けられたブレード５と、車両後部に設けられたリッパ装置６と、を備えている。そして、このブルドーザ１は、ブレード５による土押し等の作業や、リッパ装置６による破砕、掘削等の作業が可能である。
【００３８】
［動力伝達系統の構成］
図２に示すように、このブルドーザ１は、エンジン１０と、エンジン１０から左右のスプロケット２Ｌ，２Ｒに動力を伝達する動力伝達装置１１と、左右のステアリングクラッチ１２Ｌ，１２Ｒと、左右のステアリングブレーキ１３Ｌ，１３Ｒと、を有している。
【００３９】
動力伝達装置１１では、エンジン１０からの動力は、ダンパ１５を介してトルクコンバータ１６に伝達される。トルクコンバータ１６の出力軸は、トランスミッション１７の入力軸に連結されており、トルクコンバータ１６からトランスミッション１７に動力が伝達される。トランスミッション１７から出力された動力は、第１ベベルギア１８及び第２ベベルギア１９を介して、横軸２０に伝達される。
【００４０】
横軸２０に伝達された動力は、左ステアリングクラッチ１２Ｌ及び左終減速装置２２Ｌを介して、左スプロケット２Ｌに伝達される。また、横軸２０に伝達された動力は、右ステアリングクラッチ１２Ｒ及び右終減速装置２２Ｒを介して、右スプロケット２Ｒに伝達される。各スプロケット２Ｌ，２Ｒには履帯３Ｌ，３Ｒが巻回されている。このため、スプロケットが回転駆動されると、履帯３Ｌ，３Ｒが駆動され、これによりブルドーザ１が走行する。
【００４１】
なお、トランスミッション１７には、前後進切替用のクラッチ２５や、複数の変速用クラッチ２６が設けられている。各クラッチ２５，２６は、油圧によって係合状態と係合解除状態とに切替可能な油圧クラッチである。これらの各クラッチ２５，２６への圧油の供給及び排出は、トランスミッション用コントロールバルブ２６によって制御される。
【００４２】
左右のステアリングクラッチ１２Ｌ，１２Ｒは、それぞれ動力伝達装置１１と左右のスプロケット２Ｌ，２Ｒとの間に配置され、油圧によって係合状態と係合解除状態とに切替可能な油圧クラッチである。これらのステアリングクラッチ１２Ｌ，１２Ｒへの圧油の供給及び排出は、ステアリングクラッチ用コントロールバルブ２７Ｌ，２７Ｒによって制御される。なお、左右のステアリングクラッチ１２Ｌ，１２Ｒは、ネガティブタイプの油圧クラッチであり、油圧が供給されていない状態で係合状態となっており、所定値以上の油圧が供給されると、係合解除状態になる。
【００４３】
ここでは、左ステアリングクラッチ１２Ｌが係合状態である場合には、第２ベベルギア１９からの動力が左スプロケット２Ｌに伝達される。また、右ステアリングクラッチ１２Ｒが係合状態である場合には、第２ベベルギア１９からの動力が右スプロケット２Ｒに伝達される。
【００４４】
左右のステアリングブレーキ１３Ｌ，１３Ｒは、それぞれ左右のステアリングクラッチ１２Ｌ，１２Ｒと左右のスプロケット２Ｌ，２Ｒとの間に配置され、油圧によって制動状態と非制動状態とに切替可能な油圧式のブレーキである。これらのステアリングブレーキ１３Ｌ，１３Ｒへの圧油の供給及び排出は、ブレーキ用コントロールバルブ２８Ｌ，２８Ｒによって制御される。
【００４５】
ここでは、左ステアリングブレーキ１３Ｌを制動状態にすることによって、左ステアリングクラッチ１２Ｌの出力回転、すなわち左スプロケット２Ｌの回転を制動することができる。また、右ステアリングブレーキ１３Ｒを制動状態にすることによって、右ステアリングクラッチ１２Ｒの出力回転、すなわち右スプロケット２Ｒの回転を制動することができる。
【００４６】
以上のような構成によって、左ステアリングクラッチ１２Ｌが係合解除状態にされ、かつ左ステアリングブレーキ１３Ｌが制動されている状態において、右ステアリングクラッチ１２Ｒを係合状態にして右スプロケット２Ｒが回転駆動されると、ブルドーザ１は左方向に旋回する。また、逆に、右ステアリングクラッチ１２Ｒが係合解除状態にされ、かつ右ステアリングブレーキ１３Ｒが制動されている状態において、左ステアリングクラッチ１２Ｌを係合状態にして左スプロケット２Ｌが回転駆動されると、ブルドーザ１は右方向に旋回する。
【００４７】
［出力制御のための構成］
このブルドーザ１は制御部３０を有している。制御部３０は、トランスミッション１７の速度段の切替、各コントロールバルブ２６，２７Ｌ，２７Ｒ，２８Ｌ，２８Ｒの制御を行うとともに、左右のステアリングクラッチ１２Ｌ，１２Ｒの保護処理を実行する。
【００４８】
左右のステアリングクラッチ１２Ｌ，１２Ｒの保護を行うために、制御部３０は、オン・オフ判定機能と、回転数差検出機能と、ステアリングクラッチ油圧取得機能と、保護機能と、を有している。
【００４９】
オン・オフ判定機能は、各ステアリングクラッチ１２Ｌ，１２Ｒへの油圧指令値から各ステアリングクラッチ１２Ｌ，１２Ｒが係合状態であるか、係合解除状態であるかを判定する機能である。回転数差検出機能は、トランスミッション１７の出力軸の回転数を検出する回転数検出センサ３１と、各ステアリングクラッチ１２Ｌ，１２Ｒの出力部に設けられた回転数検出センサ３２Ｌ，３２Ｒとから、各ステアリングクラッチ１２Ｌ，１２Ｒの入出力の回転数差を検出する機能である。クラッチ油圧取得機能は、各ステアリングクラッチ１２Ｌ，１２Ｒへの油圧指令値から各ステアリングクラッチ１２Ｌ，１２Ｒに供給されている油圧を取得する機能である。なお、この場合の各ステアリングクラッチ１２Ｌ，１２Ｒの油圧は、各ステアリングクラッチ１２Ｌ，１２Ｒに滑りが発生しているときの油圧である。保護機能は、回転数差及びクラッチ油圧を参照して、滑りが発生しているステアリングクラッチの発熱率を演算し、演算された発熱率を予め設定されているしきい値と比較してステアリングクラッチの保護処理を実行する機能である。
【００５０】
なお、各ステアリングクラッチ１２Ｌ，１２Ｒへの供給油圧は、実際に油圧センサによって検出するようにしてもよい。
【００５１】
［保護処理］
ステアリングクラッチ１２Ｌ，１２Ｒの保護処理について、図３のフローチャートにしたがって説明する。ここでは、左ステアリングクラッチ１２Ｌの保護処理について説明するが、右ステアリングクラッチ１２Ｒの保護処理についても全く同様である。
【００５２】
まず、ステップＳ１では、左ステアリングクラッチ１２Ｌ（以下、単に「ステアリングクラッチ」と記す）への油圧指令値I（電流値）から、ステアリングクラッチが係合状態にあるか否かを判定する。具体的には、指令電流値Ｉがしきい値Ｘ１よりも小さいか否かを判断する。前述のように、ステアリングクラッチはネガティブタイプの油圧クラッチであり、油圧が所定値以上になると、係合解除状態になる。したがって、指令電流値Ｉがしきい値Ｘ１よりも小さい場合は、ステアリングクラッチは係合状態であると判定し、ステップＳ２に移行する。なお、指令電流値Ｉがしきい値Ｘ１以上の場合は、ステアリングクラッチは係合解除状態であると判定して、保護処理は実行しない。
【００５３】
ステップＳ２では、ステアリングクラッチの入出力の回転数差を検出する。具体的には、トランスミッション１７の出力軸の回転数検出センサ３１の検出結果からステアリングクラッチの入力回転数Ｒinを演算し、この回転数Ｒinからステアリングクラッチの出力部の回転数検出センサ３２Ｌの検出結果Ｒoutを減算し、回転数差Ｒ(cl)を得る。
【００５４】
次にステップＳ３では、ステップＳ２で得られた回転数差Ｒ(cl)がしきい値Ｘ２より大きいか否かを判定する。しきい値Ｘ２は通常は「０rpm」に設定されるが、０rpmに近い低回転数に設定してもよい。
【００５５】
回転数差Ｒ(cl)がしきい値Ｘ２よりも大きい場合は、ステップＳ３からステップＳ４に移行する。ステップＳ４では、下記の式（１）によって、ステアリングクラッチの熱負荷である発熱率ｑを演算する。
【００５６】
ｑ＝μ×Ｐ×Ｒ(cl)−−−−（１）
μ：ステアリングクラッチを構成する摩擦材の摩擦係数
Ｐ：ある時刻でのステアリングクラッチの押圧力（油圧指令値及びクラッチディスク面積から算出）
次にステップＳ５では、発熱率ｑがしきい値Ｘ３以上であるか否かを判定する。このしきい値Ｘ３は、ステアリングクラッチを構成するプレート及びプレートに固定された摩擦部材の耐久性から予め設定されているものである。
【００５７】
発熱率ｑがしきい値Ｘ３以上の場合は、ステップＳ５からステップＳ６に移行する。ステップＳ６では、現在のエンジン回転数Ｒ(eng)がしきい値Ｘ４より低いか否かを判定する。しきい値Ｘ４は、車両性能で許容される最低エンジン回転数であり、予め設定されている。
【００５８】
エンジン回転数がしきい値Ｘ４以上の場合は、エンジン回転数を現状の回転数よりさらに下げる余地があるので、ステップＳ６からステップＳ７に移行する。ステップＳ７では、エンジン回転数を、一定の時間（ΔＴ）、所定回転数（ΔＲ）だけ低下させ、エンジン出力を低下させる。そして、ステップＳ１に戻り、以上の処理を繰り返し実行する。これにより、ステアリングクラッチの熱負荷が軽減される。
【００５９】
また、ステップＳ６において、エンジン回転数がしきい値Ｘ４以下になった場合は、これ以上エンジン回転数を下げるのは好ましくないので、ステップＳ６からステップＳ８に移行する。ステップＳ８では、警告処理を実行する。具体的には、ステアリングクラッチの熱負荷を下げるために、オペレータに対して、エンジン回転数をローアイドル回転数まで落とすように操作パネル等に表示する。
【００６０】
［特徴］
（１）滑りが生じているステアリングクラッチの発熱率を演算し、この演算結果に基づいて保護処理が実行される。このため、従来の装置のように、種々の滑りモードを想定して保護処理を実行する場合に比較して、高い精度で確実にステアリングクラッチを保護できる。
【００６１】
（２）ステアリングクラッチ自体の発熱率を考慮してエンジンの出力を制御するので、不必要にエンジン出力を低下させたり、また必要なときにエンジン出力が低下されなかったり、といった不具合を防止できる。
【００６２】
（３）エンジン回転数を下げて出力を制御する際に、エンジン回転数が予め許容されている最低回転数か否かを判断し、エンジン回転数が最低回転数より低い場合は、エンジンの出力を低下させることなく警告処理を実行するようにしている。このため、最低限の車両性能を維持することができる。
【００６３】
［他の実施形態］
本発明は以上のような実施形態に限定されるものではなく、本発明の範囲を逸脱することなく種々の変形又は修正が可能である。
【００６４】
（ａ）前記実施形態では、ステアリングクラッチの熱負荷が大きい場合は、エンジン回転数を下げてエンジン出力を制御し、熱負荷を下げるようにしたが、保護処理についてはこの実施形態に限定されない。
【００６５】
他の保護処理として、熱負荷の大きいステアリングクラッチの係合を解除して熱負荷を下げることが考えられる。図４は、この場合のフローチャートを示している。
【００６６】
図４において、ステップＳ１１〜ステップＳ１５の処理は、前記実施形態におけるステップＳ１〜ステップＳ５の処理と同様である。
【００６７】
すなわち、ステアリングクラッチが係合状態にあるか否かを判定し、係合状態である場合は、ステアリングクラッチの入出力の回転数差を検出する。そして、回転数差Ｒ(cl)がしきい値Ｘ２よりも大きい場合は、ステアリングクラッチの発熱率ｑを（１）式によって演算する。発熱率ｑがしきい値Ｘ３以上の場合はステップＳ１５からステップＳ１６に移行し、発熱率ｑがしきい値Ｘ３以下の場合はステップＳ１１に戻って、ステップＳ１１〜ステップＳ１５の処理を繰り返し実行する。
【００６８】
そして、ステップＳ１６では、滑りが生じているステアリングクラッチを強制的に係合解除する。これにより、熱負荷を下げることができ、ステアリングクラッチを構成しているプレートや摩擦部材を保護することができる。次にステップＳ１７に移行し、前記実施形態と同様の警告を操作パネル等に表示する。
【００６９】
このような実施形態によっても、前記実施形態と同様に、高い精度でステアリングクラッチを保護することができる。
【００７０】
（ｂ）前記実施形態では、ステアリングクラッチの熱負荷が大きくなった場合、エンジン出力を下げる処理を行うようにしたが、前記実施形態の処理に加えて、熱負荷が下がった場合にはエンジン出力を上げるようにしてもよい。この場合のフローチャートを図５に示している。
【００７１】
図５において、ステップＳ１〜ステップＳ８までの処理は前記実施形態におけるステップＳ１〜ステップＳ８の処理と全く同様である。ここでは、ステップＳ９及びステップＳ１０が追加されている。
【００７２】
すなわち、ステップＳ５でステアリングクラッチの発熱率ｑがしきい値Ｘ３より小さい場合は、ステップＳ９に移行する。ステップＳ９では、発熱率ｑがしきい値Ｘ５以下か否かを判定する。しきい値Ｘ５はしきい値Ｘ３よりは小さい値が設定されている。
【００７３】
発熱率ｑがしきい値Ｘ５以下の場合は、熱負荷が十分に小さくなったと判断されるので、ステップＳ９からステップＳ１０に移行する。ステップＳ１０では、エンジン回転数を、一定の時間（ΔＴ）、所定回転数（ΔＲ）だけ上昇させ、エンジン出力を増加させる。そして、ステップＳ１に戻り、以上の処理を繰り返し実行する。
【００７４】
ここでは、エンジン出力を、ステアリングクラッチの保護に必要最小限の範囲で低下させることができる。このため、ステアリングクラッチの保護による運転性能の低下を最小限に抑えることができる。
【００７５】
（ｃ）前記実施形態では、ステアリングクラッチの発熱率ｑを演算してステアリングクラッチの保護処理を実行するようにしたが、ステアリングクラッチの総発熱量Ｑを求め、この総発熱量Ｑが所定のしきい値以上か否かによって保護処理を実行するようにしてもよい。この場合、「発熱率」を「総発熱量」と読み替えるものとする。
【００７６】
（ｄ）前記実施形態では、履帯式作業車両としてブルドーザを例にとって説明したが、本発明は、他の履帯式の作業車両で、ステアリングクラッチを備えた車両に対しても同様に適用することができる。
【符号の説明】
【００７７】
１  ブルドーザ
２Ｌ，２Ｒ  スプロケット（駆動輪）
３Ｌ，３Ｒ  履帯
４Ｌ，４Ｒ  走行装置
１０  エンジン
１１  動力伝達装置
１２Ｌ，１２Ｒ  ステアリングクラッチ
１３Ｌ，１３Ｒ  ステアリングブレーキ
１６  トルクコンバータ
１７  トランスミッション
３０  制御部
【要約】      （修正有）【課題】ステアリングクラッチに滑りが生じたことを正確に判定して、ステアリングクラッチを保護する。【解決手段】この履帯式作業車両は、左右のステアリングクラッチ１２Ｌ，１２Ｒ及び左右のステアリングブレーキ１３Ｌ，１３Ｒを有するとともに、回転数差検出手段と、クラッチ油圧取得手段と、クラッチ保護手段と、を備えている。回転数差検出手段は各ステアリングクラッチ１２Ｌ、１２Ｒの入出力の回転数差を検出する。クラッチ油圧取得手段は各ステアリングクラッチ１２Ｌ、１２Ｒに供給されるクラッチ油圧を取得する。クラッチ保護手段は、回転数差及びクラッチ油圧を参照してステアリングクラッチ１２Ｌ、１２Ｒの発熱率を演算し、演算された発熱率を予め設定されているしきい値と比較してステアリングクラッチの保護処理を実行する。【選択図】図２【図１】
0005205532.tif 000002
【図２】
0005205532.tif 000003
【図３】
0005205532.tif 000004
【図４】
0005205532.tif 000005
【図５】
0005205532.tif 000006